(57)【要約】      （修正有）【課題】騒音の発生を抑制しつつ複数の透析装置の状態を監視する透析装置監視システムを提供する。【解決手段】複数の携帯端末は、複数の通信部８の各々から送信された検出信号を受信可能に構成されている。複数の携帯端末の各々は、検出信号を受信することにより、振動するとともに、複数の発光部６のうちの特定の発光状態となっている発光部６に対応する透析装置５を特定する表示画面を表示する。【選択図】図２
2020174958.tif 000002
【特許請求の範囲】
【請求項１】
複数の透析装置に１対１で対応するように設けられて該複数の透析装置の各々の状態に応じた色で発光する複数の発光部の各々に、１対１で対応するように取り付けられ、前記複数の発光部の各々の発光状態を検出する複数の発光検出部と、
前記複数の発光検出部の各々に１対１で対応するように設けられ、前記複数の発光検出部の各々が特定の発光状態を検出した際に検出信号を送信する複数の通信部と、
前記複数の通信部の各々から送信された前記検出信号を受信可能な複数の携帯端末とを備え、
前記複数の携帯端末の各々は、前記検出信号を受信することにより、振動するとともに、前記複数の発光部のうちの前記特定の発光状態となっている発光部に対応する透析装置を特定する表示画面を表示する、透析装置監視システム。
【請求項２】
前記表示画面には、特定されている前記透析装置に対処に行くことを応答するための応答入力部が設けられており、
前記複数の携帯端末の各々は、前記応答入力部から入力信号を受けることにより、応答信号を発信し、
前記複数の通信部のうち、特定されている前記透析装置に設けられている通信部は、前記応答信号を受信することにより、前記検出信号の送信を停止する、請求項１に記載の透析装置監視システム。
【請求項３】
前記複数の通信部の各々は、前記検出信号を送信開始した時点から設定時間が経過した時点までの間に前記応答信号を受信していない場合、前記複数の携帯端末の各々に音を発生させる発音信号を送信する、請求項２に記載の透析装置監視システム。
【請求項４】
前記複数の通信部および前記複数の携帯端末は、ブルートゥース(登録商標)規格による無線通信によって互いに送受信可能に構成されている、請求項１から請求項３のいずれか１項に記載の透析装置監視システム。
【請求項５】
前記複数の通信部と前記複数の携帯端末との間の通信を中継する中継器をさらに備える、請求項１から請求項４のいずれか１項に記載の透析装置監視システム。
【発明の詳細な説明】
【技術分野】
【０００１】
本発明は、透析装置監視システムに関する。
【背景技術】
【０００２】
警報表示器監視システムの構成を開示した先行文献として、特開２００７−１０８７９号公報(特許文献１)がある。特許文献１に記載された警報表示器監視システムは、警報表示器と、警報音発生手段と、警報音検知手段と、撮影手段と、表示部認識手段と、表示情報再現手段と、関連情報表示手段とを備えている。
【先行技術文献】
【特許文献】
【０００３】
【特許文献１】特開２００７−１０８７９号公報
【発明の概要】
【発明が解決しようとする課題】
【０００４】
特許文献１に記載された警報表示器監視システムにおいては、警報音の検知を動作の開始条件としている。透析装置に警報音発生部が設けられている場合、警報音が騒音となって透析患者のストレスになる場合がある。
【０００５】
本発明は上記の問題点に鑑みてなされたものであって、騒音の発生を抑制しつつ複数の透析装置の状態を監視することができる、透析装置監視システムを提供することを目的とする。
【課題を解決するための手段】
【０００６】
本発明に基づく透析装置監視システムは、複数の発光検出部と、複数の通信部と、複数の携帯端末とを備える。複数の透析装置に１対１で対応するように、複数の発光部が設けられている。複数の発光検出部は、複数の透析装置の各々の状態に応じた色で発光する複数の発光部の各々に、１対１で対応するように取り付けられ、複数の発光部の各々の発光状態を検出する。複数の通信部は、複数の発光検出部の各々に１対１で対応するように設けられ、複数の発光検出部の各々が特定の発光状態を検出した際に検出信号を送信する。複数の携帯端末は、複数の通信部の各々から送信された上記検出信号を受信可能に構成されている。複数の携帯端末の各々は、上記検出信号を受信することにより、振動するとともに、複数の発光部のうちの特定の発光状態となっている発光部に対応する透析装置を特定する表示画面を表示する。
【０００７】
本発明の一形態においては、上記表示画面には、特定されている透析装置に対処に行くことを応答するための応答入力部が設けられている。複数の携帯端末の各々は、応答入力部から入力信号を受けることにより、応答信号を発信する。複数の通信部のうち、特定されている透析装置に設けられている通信部は、上記応答信号を受信することにより、上記検出信号の送信を停止する。
【０００８】
本発明の一形態においては、複数の通信部の各々は、上記検出信号を送信開始した時点から設定時間が経過した時点までの間に上記応答信号を受信していない場合、複数の携帯端末の各々に音を発生させる発音信号を送信する。
【０００９】
本発明の一形態においては、複数の通信部および複数の携帯端末は、ブルートゥース(登録商標)規格による無線通信によって互いに送受信可能に構成されている。
【００１０】
本発明の一形態においては、複数の通信部と複数の携帯端末との間の通信を中継する中継器をさらに備える。
【発明の効果】
【００１１】
本発明によれば、騒音の発生を抑制しつつ複数の透析装置の状態を監視することができる。
【図面の簡単な説明】
【００１２】
【図１】本発明の実施形態１に係る透析装置監視システムが設けられた透析室内において、複数の透析装置が配置された状態を示す平面図である。
【図２】本発明の実施形態１に係る透析装置監視システムにおいて透析装置の周囲に配置される構成を示す斜視図である。
【図３】本発明の実施形態１に係る透析装置監視システムに含まれる発光検出部および通信部の配置を示す側面図である。
【図４】本発明の実施形態１に係る透析装置監視システムの動作を示すフローチャートである。
【図５】本発明の実施形態１に係る透析装置監視システムに含まれる携帯端末が検出信号を受信した状態を示す正面図である。
【図６】本発明の実施形態１に係る透析装置監視システムに含まれる携帯端末が発音信号を受信した状態を示す正面図である。
【図７】本発明の実施形態２に係る透析装置監視システムが設けられた透析室内において、複数の透析装置が配置された状態を示す平面図である。
【発明を実施するための形態】
【００１３】
以下、本発明の各実施形態に係る透析装置監視システムについて図面を参照して説明する。以下の実施形態の説明においては、図中の同一または相当部分には同一符号を付して、その説明は繰り返さない。
【００１４】
(実施形態１)
図１は、本発明の実施形態１に係る透析装置監視システムが設けられた透析室内において、複数の透析装置が配置された状態を示す平面図である。図２は、本発明の実施形態１に係る透析装置監視システムにおいて透析装置の周囲に配置される構成を示す斜視図である。図３は、本発明の実施形態１に係る透析装置監視システムに含まれる発光検出部および通信部の配置を示す側面図である。
【００１５】
図１，２に示すように、透析室１内において、患者が位置するベッド４とベッド４の隣に配置された透析装置５とからなる複数の透析ユニットが、複数の列をなすように配置されている。透析室１内に、後述するように携帯端末を所持している医療従事者２が配置されている。なお、透析室１内における透析ユニットの配置は、上記に限られない。
【００１６】
図１〜図３に示すように、本発明の実施形態１に係る透析装置監視システムは、複数の発光検出部７と、複数の通信部８と、複数の携帯端末とを備える。複数の透析装置に１対１で対応するように、複数の発光部６が設けられている。複数の発光部６の各々は、複数の透析装置５の各々の状態に応じた色で発光する。
【００１７】
発光部６は、いわゆるパトランプである。発光部６は、たとえば、透析装置５が正常状態であるときは緑色に発光し、透析装置５が異常状態であるときは赤色に発光し、患者が医療従事者２を呼び出したときは黄色に発光し、透析が終了したときは青色に発光する。
【００１８】
複数の発光検出部７は、複数の発光部６の各々に１対１で対応するように取り付けられている。複数の発光検出部７は、複数の発光部６の各々の発光状態を検出する。複数の発光検出部７の各々は、外光の検出を抑制するため、外側を覆われた状態で、対応する発光部６に密着するように取り付けられている。
【００１９】
複数の発光検出部７の各々は、光センサおよび制御部を有している。光センサとしては、たとえば、硫化カドミウムセルなどのフォトレジスタを含んでいる。制御部としては、たとえば、Ａｒｄｕｉｎｏ(登録商標)Ｍ０などのマイコンボードを含んでいる。
【００２０】
複数の通信部８は、複数の発光検出部７の各々に１対１で対応するように設けられている。具体的には、通信部８は、パトランプのポールに取り付けられており、配線によって発光検出部７と電気的に接続されている。複数の通信部８は、複数の発光検出部７の各々が特定の発光状態を検出した際に検出信号を送信する。
【００２１】
本実施形態においては、発光検出部７が発光部６の赤色の発光状態を検出した際に、この発光検出部７に配線で接続されている通信部８が検出信号を送信する。なお、発光検出部７が発光部６の黄色または青色の発光状態を検出した際に、この発光検出部７に配線で接続されている通信部８が他の検出信号を送信してもよい。すなわち、通信部８は、透析装置５の異常を検出した際と、患者が医療従事者２を呼び出した際と、透析が終了した際とにおいて、互いに異なる検出信号を送信してもよい。
【００２２】
複数の医療従事者２の各々は、携帯端末を所持している。複数の医療従事者２が所持している、複数の携帯端末は、複数の通信部８の各々から送信された上記検出信号を受信可能に構成されている。本実施形態においては、複数の通信部８および複数の携帯端末は、ブルートゥース(登録商標)規格による無線通信によって互いに送受信可能に構成されている。なお、複数の通信部８および複数の携帯端末は、他の通信規格による無線通信によって互いに送受信する構成であってもよい。
【００２３】
以下、本発明の一実施形態に係る透析装置監視システムの動作について説明する。
図４は、本発明の実施形態１に係る透析装置監視システムの動作を示すフローチャートである。図４に示すように、本発明の実施形態１に係る透析装置監視システムにおいては、発光検出部７が発光部６の特定の発光状態を検出する(工程Ｓ１)。特定の発光状態を検出した発光検出部７に対応する通信部８から検出信号が送信される(工程Ｓ２)。
【００２４】
図５は、本発明の実施形態１に係る透析装置監視システムに含まれる携帯端末が検出信号を受信した状態を示す正面図である。図４および図５に示すように、複数の携帯端末３の各々は、上記検出信号を受信することにより、振動するとともに、複数の発光部６のうちの特定の発光状態となっている発光部６に対応する透析装置５を特定する表示画面３Ｓを表示する(工程Ｓ３)。図５においては、異常状態になっている透析装置として、Ｎｏ．１の透析装置が特定されている。
【００２５】
図５に示すように、表示画面３Ｓには、特定されている透析装置に対処に行くことを応答するための応答入力部３Ｒが設けられている。また、表示画面３Ｓには、特定されている透析装置に対処に行くことができないことを入力するための保留入力部３Ｎが設けられている。
【００２６】
複数の携帯端末３の各々は、応答入力部３Ｒから入力信号を受けることにより、応答信号を発信する。複数の携帯端末３の各々は、保留入力部３Ｎから入力信号を受けることにより、保留信号を発信する。
【００２７】
複数の通信部８のうち、表示画面３Ｓに特定されている透析装置５に設けられている通信部８は、上記応答信号を受信することにより、上記検出信号の送信を停止する。複数の通信部８のうち、表示画面３Ｓに特定されている透析装置５に設けられている通信部８は、上記保留信号を受信した場合も含めて上記応答信号を受信するまで、上記検出信号の送信を維持する。
【００２８】
すなわち、図４に示すように、上記検出信号を発信している通信部８は、携帯端末３から発信された応答信号を受信したかどうかを判断する(工程Ｓ４)。応答信号を受信した場合、上記検出信号を発信している通信部８は、検出信号の送信を停止する(工程Ｓ５)。
【００２９】
複数の通信部８の各々は、上記検出信号を送信開始した時点から設定時間が経過した時点までの間に上記応答信号を受信していない場合、複数の携帯端末３の各々に音を発生させる発音信号を送信する。
【００３０】
すなわち、図４に示すように、応答信号を受信していない場合、上記検出信号を発信している通信部８は、検出信号を送信開始した時点から設定時間経過したかどうかを設定時間経過するまで繰り返し判断する(工程Ｓ６)。設定時間経過している場合、上記検出信号を発信している通信部８は、複数の携帯端末３の各々に発音信号を送信する(工程Ｓ７)。
【００３１】
図６は、本発明の実施形態１に係る透析装置監視システムに含まれる携帯端末が発音信号を受信した状態を示す正面図である。図４および図６に示すように、複数の携帯端末３の各々は、上記発音信号を受信することにより、発音するとともに、複数の発光部６のうちの特定の発光状態となっている発光部６に対応する透析装置５を特定する表示画面３Ｓを表示する(工程Ｓ８)。
【００３２】
複数の通信部８のうち、表示画面３Ｓに特定されている透析装置５に設けられている通信部８は、上記応答信号を受信することにより、上記発音信号の送信を停止する。複数の通信部８のうち、表示画面３Ｓに特定されている透析装置５に設けられている通信部８は、上記保留信号を受信した場合も含めて上記応答信号を受信するまで、上記発音信号の送信を維持する。
【００３３】
すなわち、図４に示すように、上記発音信号を発信している通信部８は、携帯端末３から発信された応答信号を受信したかどうかを判断する(工程Ｓ９)。応答信号を受信した場合、上記発音信号を発信している通信部８は、発音信号の送信を停止する(工程Ｓ１０)。
【００３４】
上記のように、本発明の実施形態１に係る透析装置監視システムにおいては、複数の携帯端末３の各々は、上記検出信号を受信することにより、振動するとともに、複数の発光部６のうちの特定の発光状態となっている発光部６に対応する透析装置５を特定する表示画面３Ｓを表示する。これにより、騒音の発生を抑制しつつ医療従事者２に異常発生している透析装置５を知らせることができる。その結果、騒音の発生を抑制しつつ複数の透析装置５の状態を監視することができる。
【００３５】
本発明の実施形態１に係る透析装置監視システムにおいては、複数の通信部８のうち、特定されている透析装置５に設けられている通信部８は、上記応答信号を受信することにより、上記検出信号の送信を停止する。これにより、異常発生している透析装置５に医療従事者２が早期に対処に来るように促すことができる。
【００３６】
本発明の実施形態１に係る透析装置監視システムにおいては、複数の通信部８の各々は、上記検出信号を送信開始した時点から設定時間が経過した時点までの間に上記応答信号を受信していない場合、複数の携帯端末３の各々に音を発生させる発音信号を送信する。これにより、携帯端末３の振動では異常発生に気づかない医療従事者２に、携帯端末の発音によって異常発生を気づかせることができる。よって、携帯端末の発音機会を少なくして、携帯端末３の発音による騒音の発生を抑制することができる。
【００３７】
本発明の実施形態１に係る透析装置監視システムにおいては、複数の通信部８および複数の携帯端末３は、ブルートゥース(登録商標)規格による無線通信によって互いに送受信可能に構成されている。これにより、異常状態にある透析装置５の近くにいる医療従事者２に検出信号および発音信号を送信することができる。その結果、異常発生している透析装置５の近くにいる医療従事者２に早期に対処させることができる。
【００３８】
なお、複数の透析装置５において続けて異常が発生した場合は、携帯端末３の表示画面３Ｓには、異常発生した透析装置５の各々が特定されるとともに、異常発生した透析装置５の各々に対応して応答入力部３Ｒおよび保留入力部３Ｎが表示される。
【００３９】
また、通信部８が、透析装置５の異常を検出した際と、患者が医療従事者２を呼び出した際と、透析が終了した際とにおいて、互いに異なる検出信号を送信する場合、携帯端末３の表示画面３Ｓに、患者が医療従事者２を呼び出している透析装置５、および、透析が終了した透析装置５などが特定されるとともに、これらの各々に対応して応答入力部３Ｒおよび保留入力部３Ｎが表示される。
【００４０】
(実施形態２)
以下、本発明の実施形態２に係る透析装置監視システムについて図面を参照して説明する。なお、本発明の実施形態２に係る透析装置監視システムは、中継器をさらに備える点が主に、本発明の実施形態１に係る透析装置監視システムと異なるため、本発明の実施形態１に係る透析装置監視システムと同様である構成については説明を繰り返さない。
【００４１】
図７は、本発明の実施形態２に係る透析装置監視システムが設けられた透析室内において、複数の透析装置が配置された状態を示す平面図である。図７に示すように、透析室１内において、患者が位置するベッド４とベッド４に隣接して配置された透析装置５とからなる複数の透析ユニットが、複数の列をなすように配置されている。透析室１の角部には、医療従事者２が常駐するスタッフルーム９が配置されている。透析室１内には、複数の通信部８と複数の携帯端末３との間の通信を中継する複数の中継器１０が配置されている。
【００４２】
すなわち、本発明の実施形態２に係る透析装置監視システムは、複数の通信部８と複数の携帯端末３との間の通信を中継する中継器１０をさらに備えている。中継器１０は、複数の通信部８の各々から送信された検出信号および発音信号を受信して転送する。中継器１０は、複数の携帯端末３の各々から送信された応答信号および保留信号を受信して転送する。
【００４３】
スタッフルーム９に常駐している医療従事者２は、中継器１０から転送された検出信号または発音信号を携帯端末３が受信することにより、携帯端末３の表示画面３Ｓに特定された透析装置５に処置に向かうことができる。
【００４４】
透析装置５に処置に向かう医療従事者２が携帯端末３の応答入力部３Ｒに入力することにより携帯端末３から送信された応答信号が、中継器１０によって転送されて検出信号または発音信号を送信している通信部８に受信されることによって、検出信号または発音信号の送信が停止する。これにより、透析装置５に処置に向かう医療従事者２が透析室１内を移動する際には、携帯端末３の振動または発音を停止させておくことができるため、携帯端末３の発音による騒音の発生を抑制することができる。
【００４５】
本発明の実施形態２に係る透析装置監視システムにおいては、透析装置５と携帯端末３とが互いに直接通信できる距離を超えて配置されている場合においても、騒音の発生を抑制しつつ複数の透析装置の状態を監視することができる。
【００４６】
なお、中継器１０は、透析室１に既設の装置であってもよい。すなわち、透析装置監視システムが中継器１０を含むのではなく、複数の携帯端末３が、複数の通信部８の各々から送信された上記検出信号または上記発音信号を透析室１に既設の中継器１０を介して受信可能に構成されていてもよい。
【００４７】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００４８】
１  透析室、２  医療従事者、３  携帯端末、３Ｎ  保留入力部、３Ｒ  応答入力部、３Ｓ  表示画面、４  ベッド、５  透析装置、６  発光部、７  発光検出部、８  通信部、９  スタッフルーム、１０  中継器。
【図１】
2020174958.tif 000003
【図２】
2020174958.tif 000004
【図３】
2020174958.tif 000005
【図４】
2020174958.tif 000006
【図５】
2020174958.tif 000007
【図６】
2020174958.tif 000008
【図７】
2020174958.tif 000009